(57)【要約】【課題】種々の形の粒状物を安定的に排出させることができる粒状物収納容器を提案する。【解決手段】本発明の粒状物収納容器は、粒状物Ｒを収める収納空間Ｓを有する容器本体１０と、容器本体１０に装着される本体部２０ａを有するとともに収納空間Ｓに連通する排出路Ｔを有する排出キャップ２０とを備え、排出キャップ２０は、排出路Ｔに迫り出して配置されて排出路Ｔからの粒状物Ｒの排出を阻止する球状体２３と、本体部２０ａに対して移動可能に設けられ、通常時は迫り出した球状体２３を抜け止め保持する一方、本体部２０ａに対して移動させることによって球状体２３を排出路Ｔから退避させる移動部２０ｂとを有する。【選択図】図１
2018034830.tif 000002
【特許請求の範囲】
【請求項１】
粒状物を収める収納空間を有する容器本体と、該容器本体に装着される本体部を有するとともに該収納空間に連通する排出路を有する排出キャップとを備える粒状物収納容器であって、
前記排出キャップは、前記排出路に迫り出して配置されて該排出路からの前記粒状物の排出を阻止する球状体と、前記本体部に対して移動可能に設けられ、通常時は迫り出した該球状体を抜け止め保持する一方、該本体部に対して移動させることによって該球状体を該排出路から退避させる移動部とを有する粒状物収納容器。
【請求項２】
前記本体部は、前記移動部を揺動可能に支持する頂壁と、該頂壁から前記収納空間に向けて延在する内周壁と、該頂壁及び該内周壁を切り欠いて設けられ該移動部を収容する凹所とを備え、
前記移動部は、該頂壁に対して突出して設けられる突出壁と、該突出壁に連結し前記内周壁との協働にて前記排出路を形成するとともに、迫り出した前記球状体を該内周壁との間で抜け止め保持する一方、該移動部の揺動にて該球状体を該排出路から退避させる折返し壁とを有する請求項１に記載の粒状物収納容器。
【請求項３】
前記本体部は、前記球状体に当接して該球状体を前記排出路に向けて押し出す弾性部を有する請求項１又は２に記載の粒状物収納容器。
【発明の詳細な説明】
【技術分野】
【０００１】
本発明は、粒状物を収納する粒状物収納容器に関するものである。
【背景技術】
【０００２】
例えば菓子や薬剤においては、一般に錠菓（タブレット菓子）や錠剤と称され、圧縮成形などによって一定の形に整えられた固形の粒状物が流通している。このような粒状物を収容する容器としては、例えば特許文献１に示すような、排出孔を有する中栓と、常時上方に付勢されるとともに下方に位置した際に排出孔から粒状物を受け入れる導入孔を有する計量筒と、容器体に装着した際に計量筒を下方に移動させるキャップとを備える容器が知られている。このような容器によれば、キャップを装着した状態で容器を倒立姿勢に変位させることによって粒状物を計量筒に移動させ、キャップを取り外せば計量筒内の粒状物を排出させることができるため、計量筒に収容される所定数の粒状物のみを取り出すことが可能である。このため、排出時に粒状物の数を確認する手間がないので簡単に使用できるうえ、粒状物が過剰に取り出されることもないため、一旦取り出した粒状物を容器に戻す必要もなく、衛生的にも優れているという利点がある。
【先行技術文献】
【特許文献】
【０００３】
【特許文献１】特開平９−５８７２１号公報
【発明の概要】
【発明が解決しようとする課題】
【０００４】
ところで特許文献１の如き容器では、構成部材の形状のばらつきやキャップの装着具合によっては、中栓の排出孔と計量筒の導入孔の位置が完全には揃わずに、ずれが生じることが想定される。このような場合であっても、粒状物が球形状であれば、ずれた孔の段差を乗り越えて転がっていくため比較的スムーズに移動させることが可能であるが、粒状物が扁平状や楕円状である場合は途中で引っ掛かってしまうおそれがあり、この状態で計量筒が移動すると、粒状物が２つの孔の間で挟まってしまうことが予想される。
【０００５】
本発明は、このような点を解決することを課題とし、粒状物の形を問わず、これを安定的に排出させることができる、新たな粒状物収納容器を提案することを目的とする。
【課題を解決するための手段】
【０００６】
本発明は、粒状物を収める収納空間を有する容器本体と、該容器本体に装着される本体部を有するとともに該収納空間に連通する排出路を有する排出キャップとを備える粒状物収納容器であって、
前記排出キャップは、前記排出路に迫り出して配置されて該排出路からの前記粒状物の排出を阻止する球状体と、前記本体部に対して移動可能に設けられ、通常時は迫り出した該球状体を抜け止め保持する一方、該本体部に対して移動させることによって該球状体を該排出路から退避させる移動部とを有する粒状物収納容器である。
【０００７】
前記本体部は、前記移動部を揺動可能に支持する頂壁と、該頂壁から前記収納空間に向けて延在する内周壁と、該頂壁及び該内周壁を切り欠いて設けられ該移動部を収容する凹所とを備え、
前記移動部は、該頂壁に対して突出して設けられる突出壁と、該突出壁に連結し前記内周壁との協働にて前記排出路を形成するとともに、迫り出した前記球状体を該内周壁との間で抜け止め保持する一方、該移動部の揺動にて該球状体を該排出路から退避させる折返し壁とを有することが好ましい。
【０００８】
前記本体部は、前記球状体に当接して該球状体を前記排出路に向けて押し出す弾性部を有することが好ましい。
【発明の効果】
【０００９】
本発明では、排出キャップに設けた球状体が排出路に迫り出すように配置されており、これによって粒状物の排出を阻止しているので、扁平状や楕円状の粒状物であっても球状体の手前までスムーズに移動させることができる。そして、移動部を動かせば球状体を排出路から退避させることができるため、球状体によって移動が妨げられていた粒状物を外部に排出させることができる。
【００１０】
また本体部に、移動部を揺動可能に支持する頂壁と、頂壁から収納空間に向けて延在する内周壁と、頂壁及び内周壁を切り欠いて設けられ移動部を収容する凹所とを設け、移動部に、頂壁に対して突出して設けられる突出壁と、突出壁に連結し内周壁との協働にて排出路を形成するとともに、迫り出した球状体を内周壁との間で抜け止め保持する一方、移動部の揺動にて球状体を排出路から退避させる折返し壁とを設ける場合は、容器を倒立姿勢に変位させて頂壁を排出先（例えば手のひら）に押し付ければ、突出壁が揺動して折返し壁が球状体を排出路から退避させるため、排出路での移動が妨げられていた粒状物を排出させることができる。そして手のひらから容器を持ち上げれば、突出壁を元の状態に戻すことができるため、球状体を排出路から迫り出す位置に再び移動させることができる。すなわち、手のひらに頂壁を押し付けるという動作のみで粒状物を排出させることができるので、簡単に使用することができる。更に、排出される粒状体は、排出先に押し付けた状態において排出路における頂壁から球状体に至る空間に収容されるものに限定されるため、粒状物を定量で取り出すことができる。
【００１１】
本体部に、球状体に当接して球状体を排出路に向けて押し出す弾性部を設ける場合は、弾性力でもって球状体を元の位置に自動的に戻すことができるため、粒状物の定量での取出しが、より安定的に行えるようになる。
【図面の簡単な説明】
【００１２】
【図１】本発明に従う粒状物収納容器の一実施形態を示す、側面視での断面図である。
【図２】図１に示すキャップ本体につき、（ａ）は平面図であり、（ｂ）は側面視での断面図である。
【図３】図１に示す中栓につき、（ａ）は平面図であり、（ｂ）は側面視での断面図である。なお、図中の二点鎖線は球状体を示している。
【図４】図１に示す粒状物収納容器から粒状物を排出させる状況を説明する図であって、（ａ）は粒状物収納容器を倒立姿勢に変位させた状態を示し、（ｂ）は（ａ）の状態から粒状物収納容器を排出先の手のひらに押し付けた状態を示す。
【図５】図４（ｂ）の後に粒状物収納容器を手のひらから離した状態を示す図である。
【発明を実施するための形態】
【００１３】
以下、図面を参照して、本発明をより具体的に説明する。なお、本明細書等において、「上」方向、「下」方向とは、図１に示すように容器本体（符号１０）が下方に位置し、カバー（符号３０）が上方に位置する状態での向きをいう。
【００１４】
図１は、本発明に従う粒状物収納容器の一実施形態を示す図である。本実施形態の粒状物収納容器１は、容器本体１０と、容器本体１０に装着される排出キャップ２０と、排出キャップ２０に装着されるカバー３０とを備えている。
【００１５】
容器本体１０は、円板状をなす底部１０ａと、底部１０ａの外縁から上方に向けて延在する円筒状の胴部１０ｂと、胴部１０ｂよりも小径であって、胴部１０ｂの上端に連結する口部１０ｃと、口部１０ｃの外周面に形成される雄ねじ部１０ｄとを備えていて、全体としてボトル状に形成されている。また底部１０ａ、胴部１０ｂ、口部１０ｃの内側には、図４、図５に示す粒状物Ｒを収める収納空間Ｓが設けられている。なお、本実施形態の粒状物Ｒは、図４（ａ）に示すように楕円状に形成されている。
【００１６】
排出キャップ２０は、容器本体１０に装着される本体部２０ａと、収納空間Ｓに連通する排出路Ｔと、本体部２０ａに対して移動可能に設けられる移動部２０ｂとを備えている。また詳細については後述するが、排出キャップ２０は、排出路Ｔに迫り出して配置される球状体２３も備えている。
【００１７】
本実施形態における本体部２０ａは、キャップ本体２１と中栓２２とで構成されている。
【００１８】
キャップ本体２１は、図１及び図２に示すように、口部１０ｃを取り囲む筒状の外周壁２１ａと、雄ねじ部１０ｄに適合する形状をなしていて外周壁２１ａの内周面に設けられる雌ねじ部２１ｂと、外周壁２１ａの上端から径方向内側に向かって延在するフランジ壁２１ｃと、フランジ壁２１ｃの下面に設けられ口部１０ｃの内周面に当接する環状のシール壁２１ｄと、フランジ壁２１ｃの内縁から上方に向けて延在する外側環状壁２１ｅと、外側環状壁２１ｅの上端から上方に向けて膨出するように延在する頂壁２１ｆと、頂壁２１ｆの中央部分を貫通する開口２１ｇとを備えている。
【００１９】
また中栓２２は、図１及び図３に示すように、頂壁２１ｆの開口２１ｇから収納空間Ｓに向けて延在する筒状の内周壁２２ａと、内周壁２２ａの下端に連結するとともに径方向外側に向かって下向きに傾く傾斜壁２２ｂと、傾斜壁２２ｂの外縁から上方に向かって延在するとともに外側環状壁２１ｅの内周面に嵌合保持される内側環状壁２２ｃとを備えている。
【００２０】
ところで本体部２０ａは、キャップ本体２１の頂壁２１ｆと中栓２２の内周壁２２ａを切り欠いて設けられる凹所Ｃを備えていて（図２（ａ）、図２（ｂ）、図３（ｂ）参照）、この凹所Ｃには、図２（ａ）、図２（ｂ）に示すように、前述の移動部２０ｂが配置されている。
【００２１】
本実施形態の移動部２０ｂは、図１、図２（ｂ）に示すように、頂壁２１ｆに対して突出して設けられる突出壁２１ｈと、頂壁２１ｆに対して突出壁２１ｈを揺動可能に一体に連結する薄肉部２１ｊと、突出壁２１ｈの径方向内側端から下方に向けて延在する折返し壁２１ｋとを備えている。そして前述の内周壁２２ａと折返し壁２１ｋとで取り囲んだ領域を、前述の排出路Ｔとしている。
【００２２】
そして前述の球状体２３は、図１に示すように切り欠かれた内周壁２２ａと折返し壁２１ｋとの間に配置されている。ここで、切り欠かれた内周壁２２ａと折返し壁２１ｋとの隙間は、球状体２３の直径よりも狭くなっていて、球状体２３は排出路Ｔに迫り出した状態で抜け止め保持されている。なお、迫り出した球状体２３と内周壁２２ａとの隙間は、図４（ａ）に示すように粒状物Ｒの短手方向の厚みよりも狭くなっているので、図示のように粒状物収納容器１を傾倒姿勢に変位させても粒状物Ｒが排出されることはない。また図１に示すように球状体２３は、排出路Ｔの反対側において、中栓２２の傾斜壁２２ｂから上方に向けて延在する板状壁（弾性部）２２ｄに当接している。
【００２３】
カバー３０は、外側環状壁２１ｅを取り囲むとともに外側環状壁２１ｅに着脱自在に保持されるカバー周壁３０ａと、カバー周壁３０ａの上端に連結するカバー頂壁３０ｂとを備えている。カバー３０を装着した状態において、排出路Ｔはカバー３０によって閉鎖されているため、保管時における収納空間Ｓへの埃等の侵入を効果的に防止することができる。また後述するように、突出壁２１ｈを動かすことによって収納空間Ｓの粒状物Ｒが排出されるが、カバー３０を装着した状態において、突出壁２１ｈは頂壁２１ｆとともにカバー３０に覆われていて、不用意に突出壁２１ｈに触れるおそれがないため、意図せず粒状物Ｒを排出させることがなくなる。
【００２４】
このように構成される粒状物収納容器１から粒状物Ｒを排出させるには、図４（ａ）に示すように、カバー３０を取り外して粒状物収納容器１を傾倒姿勢に変位させる。本実施形態においては、中栓２２に傾斜壁２２ｂを設けているため、収納空間Ｓの粒状物Ｒは、傾斜壁２２ｂに誘導されて排出路Ｔに向かって移動する。なお、球状体２３は排出路Ｔに迫り出しているため、粒状物Ｒが開口２１ｇから排出されることはない。
【００２５】
そして、図４（ｂ）に示すように、例えば手のひらＨに頂壁２１ｆを押し付けることによって、突出壁２１ｈは収納空間Ｓ側に揺動する。これにより折返し壁２１ｋは、板状壁２２ｄを撓ませながら球状体２３を排出路Ｔから遠ざける向きに移動させるため、迫り出した球状体２３によって移動が阻止されていた粒状物Ｒが、手のひらＨまで排出路Ｔを移動する。
【００２６】
その後、図５に示すように粒状物収納容器１を手のひらＨから持ち上げれば、突出壁２１ｈが元のように頂壁２１ｆから突出するとともに、撓んでいた板状壁２２ｄが復元して球状体２３が排出路Ｔに迫り出される。これにより、図４（ｂ）の状態において球状体２３よりも手のひらＨ側に移動していた粒状物Ｒは粒状物収納容器１から排出される一方、球状体２３よりも収納空間Ｓ側にある粒状物Ｒは、球状体２３によって排出が阻止される。すなわち、頂壁２１ｆから球状体２３に至る排出路Ｔに収容される粒状物Ｒのみ（本実施形態では１個）が排出されることになるため、粒状物Ｒを定量で取り出すことができる。
【００２７】
なお、本実施形態の粒状物Ｒは楕円状に形成されているが、扁平状に形成されている場合でも同じように排出させることができる。
【００２８】
本発明に従う粒状物収納容器は、本実施形態に限定されるものではなく、特許請求の範囲に従う範囲で種々の変更が可能である。例えば突出壁２１ｈは、薄肉部２１ｊを介して頂壁２１ｆに一体に連結しているが、頂壁２１ｆとは別異の部材とし、これが頂壁２１ｆに対して揺動可能に支持されるように構成してもよい。また本実施形態の移動部２０ｂは、本体部２０ａに対して揺動するものであるが、移動部の変位に伴って球状体が排出路に迫り出したりここから退避したりするように構成すればよく、例えば本体部２０ａに対して上下方向に移動可能に設けても、或いは径方向に移動可能に設けてもよい。また弾性部は図示した板状壁２２ｄに限られず、例えばコイルバネを用いてもよい。
【符号の説明】
【００２９】
１：粒状物収納容器
１０：容器本体
１０ａ：底部
１０ｂ：胴部
１０ｃ：口部
１０ｄ：雄ねじ部
２０：排出キャップ
２０ａ：本体部
２０ｂ：移動部
２１：キャップ本体
２１ａ：外周壁
２１ｂ：雌ねじ部
２１ｃ：フランジ壁
２１ｄ：シール壁
２１ｅ：外側環状壁
２１ｆ：頂壁
２１ｇ：開口
２１ｈ：突出壁
２１ｊ：薄肉部
２１ｋ：折返し壁
２２：中栓
２２ａ：内周壁
２２ｂ：傾斜壁
２２ｃ：内側環状壁
２２ｄ：板状壁
２３：球状体
３０：カバー
３０ａ：カバー周壁
３０ｂ：カバー頂壁
Ｃ：凹所
Ｈ：排出先（手のひら）
Ｒ：粒状物
Ｓ：収納空間
Ｔ：排出路
【図１】
2018034830.tif 000003
【図２】
2018034830.tif 000004
【図３】
2018034830.tif 000005
【図４】
2018034830.tif 000006
【図５】
2018034830.tif 000007